(57)【要約】      （修正有）【課題】軸体を中心にカメラを枢転させて光学レンズによる高品質の写真を撮影するカメラモジュール及びそのカメラモジュールを備えた電子装置を提供する。【解決手段】カメラモジュールは、一側に第一端１１が設けられると共に、他側に第二端１２が設けられる軸体１０と、一端にレンズ部材２１が設置されると共に、他端に枢設部２３が設けられ、レンズ部材２１と枢設部２３との間に焦点距離調整構造２２が設けられ、枢設部２３により枢転可能に軸体１０の第一端１１に取り付けられるカメラ２０と、を有する。このことから、高倍率及び高品質の写真を撮影できる。【選択図】図１
0003195608.tif 000002
【実用新案登録請求の範囲】
【請求項１】
一側に第一端が設けられると共に、他側に第二端が設けられる軸体と、
一端にレンズ部材が設置されると共に、他端に枢設部が設けられ、該レンズ部材と枢設部との間に焦点距離調整構造が設けられ、該枢設部により枢転可能に軸体の第一端に取り付けられるカメラと、を有することを特徴とする、
カメラモジュール。
【請求項２】
前記軸体の第二端にＵＳＢコネクタが設けられることを特徴とする請求項１に記載のカメラモジュール。
【請求項３】
前記焦点距離調整構造が回転式焦点距離調整構造であることを特徴とする請求項１に記載のカメラモジュール。
【請求項４】
前記レンズ部材における枢設部と反対する側に光学レンズが設置されることを特徴とする請求項１に記載のカメラモジュール。
【請求項５】
前記カメラにモータが内蔵されることを特徴とする請求項１に記載のカメラモジュール。
【請求項６】
前記焦点距離調整構造がレバー式焦点距離調整構造であることを特徴とする請求項５に記載のカメラモジュール。
【請求項７】
請求項１乃至６の何れか１項のカメラモジュール及びベースを有し、
前記ベースに取付端が形成され、
前記軸体の第二端がベースの取付端に取り付けられることを特徴とする、
カメラモジュールを備えた電子装置。
【請求項８】
前記軸体の第二端が着脱可能にベースの取付端に取り付けられること特徴をとする請求項７に記載のカメラモジュールを備えた電子装置。
【請求項９】
前記ベースの取付端にＵＳＢソケットが設置され、前記軸体の第二端のＵＳＢコネクタが着脱可能に取付端のＵＳＢソケットに挿設されること特徴をとする請求項８に記載のカメラモジュールを備えた電子装置。
【請求項１０】
前記軸体の第二端がベースの取付端に固定されること特徴をとする請求項７に記載のカメラモジュールを備えた電子装置。
【請求項１１】
前記ベースが携帯電話、タッチパネル、ノートパソコン、モニタ、メディアプレーヤのいずれか一つであること特徴をとする請求項７に記載のカメラモジュールを備えた電子装置。
【考案の詳細な説明】
【技術分野】
【０００１】
本考案は、特に軸体を中心としてカメラを枢転させて光学レンズによる高品質の写真を撮るカメラモジュールに関するものである。
【背景技術】
【０００２】
従来の携帯電話は、数十万画素程度のカメラを搭載していたが、画素数が低いことから、撮影した写真の品質が非常に悪かった。しかし、近年の科学技術の進歩に伴い、既存の携帯電話またはタッチパネルの殆どが高画素、例えば、２０００万画素や３０００万画素程度のカメラを搭載するようになったため、撮影した写真の品質は通常のデジタルカメラと同レベル程度になってきた。
【０００３】
また、カメラのズーム機能には、デジタルズーム及び光学ズームの２種類があり、その内、光学ズームのカメラは、複数のレンズを用いることから、携帯電話が厚く且つ重くなってしまうので、従来の携帯電話メーカーは殆どが、光学ズームのカメラを採用している。
また、既存の携帯電話またはタッチパネルは、薄型を目指していることから、光学ズームではなくデジタルズームを採用するため、フロントカメラとバックカメラを装着することができ、そのカメラのイメージセンサには、相補型金属酸化膜半導体技術（ＣＭＯＳ，Ｃｏｍｐｌｅｍｅｎｔａｒｙ  ｍｅｔａｌ−ｏｘｉｄｅ−ｓｅｍｉｃｏｎｄｕｃｔｏｒ）という技術手段が採用されている。
【考案の概要】
【考案が解決しようとする課題】
【０００４】
しかしながら、既存の電子装置は、デジタルズームを採用した１０００万画素程度のイメージセンサを有するが、そのカメラで撮影した写真の品質はそれほど良好でなく、高倍率かつ高解像度の光学ズームのレベルには達していない。
【０００５】
また、既に着脱可能に電子装置に取り付けられると共に、高倍率かつ高解像度の写真を撮影できる光学ズームのカメラを搭載した着脱式カメラが開発され、市場においても販売されているが、その光学ズームのカメラを電子装置に取り付ける時に、フレームなどの掛け部材により電子装置のカメラと対応するように取付けらなければならないので、着脱に手間がかかり、使用上非常に不便である。
【０００６】
また、着脱式カメラを電子装置に取り付ける時、そのフレームなどの掛け部材を用いても電子装置の殻に密着するように取り付けられない場合もあることから、光学ズームのカメラに外部からの光が当たって焦点距離を間違ってしまう。そのため、既存の着脱式カメラは改良する必要があった。
【課題を解決するための手段】
【０００７】
本考案に係るカメラモジュールは、一側に第一端が設けられると共に、他側に第二端が設けられる軸体と、一端にレンズ部材が設置されると共に、他端に枢設部が設けられ、該レンズ部材と枢設部との間に焦点距離調整構造が設けられ、該枢設部により枢転可能に軸体の第一端に取り付けられるカメラと、を有するものである。
【０００８】
かかるカメラモジュールにおいて、前記軸体の第二端にＵＳＢコネクタが設けられることが好ましいい。
【０００９】
かかるカメラモジュールにおいて、前記焦点距離調整構造が回転式焦点距離調整構造であることが好ましい。
【００１０】
かかるカメラモジュールにおいて、前記レンズ部材における枢設部と反対する側に光学レンズが設置されることが好ましい。
【００１１】
かかるカメラモジュールにおいて、前記カメラにモータが内蔵されることが好ましい。
【００１２】
かかるカメラモジュールにおいて、前記焦点距離調整構造がレバー式焦点距離調整構造であることが好ましい。
【００１３】
一方、カメラモジュールを備えた電子装置は、上述したカメラモジュール及びベースを有し、該ベースに取付端が形成され、該軸体の第二端がベースの取付端に取り付けられるものである。
【００１４】
かかるカメラモジュールを備えた電子装置において、前記軸体の第二端が着脱可能にベースの取付端に取り付けられることが好ましい。
【００１５】
かかるカメラモジュールを備えた電子装置において、前記ベースの取付端にＵＳＢソケットが設置され、前記軸体の第二端のＵＳＢコネクタが着脱可能に取付端のＵＳＢソケットに挿設されることが好ましい。
【００１６】
かかるカメラモジュールを備えた電子装置において、前記軸体の第二端がベースの取付端に固定されることが好ましい。
【００１７】
かかるカメラモジュールを備えた電子装置において、前記ベースが携帯電話、タッチパネル、ノートパソコン、モニタ、メディアプレーヤであることが好ましい。
【考案の効果】
【００１８】
上述した構造によれば、以下に示すようなメリットを有する。
１．本考案に係るカメラモジュールは、直接に携帯電話やタッチパネルなどの電子装置に装着することから、余計な着脱操作が不要で利便性が高く、また、カメラのレンズ部材を伸ばすと、電子装置が自動的に撮影モードに切り替わり、反対にレンズ部材を縮退させると、電子装置の撮影モードが自動的に切れる仕組みであるので、操作が極めて簡単である。
２．カメラのレンズ部材に光学レンズが採用されていることから、高倍率かつ高解像度の写真を撮影できるので、写真の品質が向上する。
３．カメラが枢転可能に軸体に取り付けられていることから、カメラを軸体中心に枢転させれば、０度乃至１８０度の範囲で撮影することができる。
【図面の簡単な説明】
【００１９】
【図１】本考案に係るカメラモジュールの第一実施例の平面透視図である。
【図２】本考案に係るカメラモジュールの第二実施例の平面透視図である。
【図３】図２の部分拡大平面図である。
【図４】図３の部分分解平面図である。
【図５】本考案に係るカメラモジュールにおいて、カメラを、軸体を中心にベースに対して枢転させた状態を示す平面図である。
【図６】図５の側面視平面図である。
【考案を実施するための形態】
【００２０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２１】
図１に示すように、本考案に係るカメラモジュールの第一実施例は、軸体１０及び伸縮可能なカメラ２０を有する。
【００２２】
図１乃至図４に示すように、前記軸体１０は、一側に第一端１１が設けられると共に、他側に第二端１２が設けられ、該軸体１０における第二端１２にＵＳＢコネクタ１２１が設置される。
【００２３】
前記カメラ２０は、枢転可能に軸体１０に取り付けられ、一端にレンズ部材２１が設置されると共に、他端に枢設部２３が設けられ、該レンズ部材２１と枢設部２３との間に焦点距離調整構造２２が設けられる。その内、該レンズ部材２１の枢設部２３と反対する側に光学レンズ２１１が設置され、該ＵＳＢコネクタ１２１によって、光学ズームの調整機能を行い、該焦点距離調整構造２２は、ズームボタンまたはズームレバーであり、該枢設部２３は、回転可能に軸体１０の第一端１１に取り付けられる。
また、前記焦点距離調整構造２２が回転式焦点距離調整構造である場合は、ズームボタンを有し、該ズームボタンを順逆回転させることによって、カメラ２０をズームインまたはズームアウトさせることができる。一方、前記焦点距離調整構造２２がレバー式焦点距離調整構造である場合は、ズームレバーを有し、該ズームレバーを切り替えることによって、カメラ２０をズームインまたはズームアウトにさせることができる。
尚、そのカメラ２０にモータ２４が内蔵されてもよい。
【００２４】
図２乃至図４に示すように、本考案に係るカメラモジュールの第二実施例は、殆ど第一実施例と同一であるが、さらにベース３０を有する点において異なる。ベース３０は、携帯電話や、タッチパネル、ノートパソコン、モニタ、メディアプレーヤなどの電子装置であり、取付端３１が形成され、ベース３０の該取付端３１に前記軸体１０の第二端１２が取り付けられると共に、軸体１０の第二端１２が着脱可能に取り付けられる。
一方、他の実施例におけるベース３０は、取付端３１にＵＳＢソケット３１１（ｕｎｉｖｅｒｓａｌ  ｓｅｒｉａｌ  ｂｕｓ）が設けられ、該取付端３１のＵＳＢソケット３１１に前記第二端１２のＵＳＢコネクタ１２１が脱着可能に挿設される。尚、その軸体１０の第二端１２は、ベース３０の取付端３１に固定されてもよい。
【００２５】
図４に示すように、本考案に係るカメラモジュールを使用する時は、カメラ２０を軸体１０に枢設すると共に、軸体１０の第二端１２のＵＳＢコネクタ１２１を着脱可能にベース３０の取付端３１のＵＳＢソケット３１１に挿設することから、携帯電話や、タッチパネル、ノートパソコンなどのベース３０にＵＳＢソケット３１１が設けられていれば、軸体１０及びカメラ２０を自由にそれらの電子装置に電気接続することができる。
【００２６】
更に、図５及び図６に示すように、本考案では、そのカメラ２０を軸体１０を中心にベース３０に対して垂直平面に０度乃至１８０度の範囲で枢転させることができるので、撮影の角度がより広くなる。
また、カメラ２０のレンズ部材２１を軸体１０と反対する方向へ伸ばすと、電気接続した電子装置が自動的に撮影モードに切り替わることから、所望の撮影角度に調整すれば、レンズ部材２１の焦点距離調整構造２２による光学ズームの焦点距離を調整することができる。更に、その光学ズームの焦点距離は、焦点距離調整構造２２だけではなく、電子装置の内蔵のソフトウェアにより調整することもできる。
一方、本考案のカメラモジュールを使用しない時は、カメラ２０のレンズ部材２１を軸体１０と近接するように縮退させれば、電子装置の撮影モードが自動的に切れる。
【００２７】
本考案に係るカメラモジュールは、フロントカメラ及びバックカメラを搭載している既存の電子装置に設置して使用するものであり、そのカメラモジュールのイメージセンサは、ＣＣＤセンサ（ＣＣＤ、Ｃｈａｒｇｅ−ｃｏｕｐｌｅｄ  ｄｅｖｉｃｅ、電荷結合素子）または相補型金属酸化膜半導体技術（ＣＭＯＳ，Ｃｏｍｐｌｅｍｅｎｔａｒｙ  ｍｅｔａｌ−ｏｘｉｄｅ−ｓｅｍｉｃｏｎｄｕｃｔｏｒ）などの技術手段を利用している。
【符号の説明】
【００２８】
１０    軸体
１１    第一端
１２    第二端
１２１  ＵＳＢコネクタ
２０    カメラ
２１    レンズ部材
２１１  光学レンズ
２２    焦点距離調整構造
２３    枢設部
２４    モータ
３０    ベース
３１    取付端
３１１  ＵＳＢソケット
【図１】
0003195608.tif 000003
【図２】
0003195608.tif 000004
【図３】
0003195608.tif 000005
【図４】
0003195608.tif 000006
【図５】
0003195608.tif 000007
【図６】
0003195608.tif 000008